(57)【要約】      （修正有）【課題】梱包する収納物を出し入れするための開閉扉を梱包箱を設け、かつ、多段に積層する場合の収納物の保護及び荷崩れ防止が図られ、また、収納物の抜き取りをしても荷崩れが生じない包装用箱を提供する。【解決手段】周面から上下に延設したフラップ２により天蓋及び底蓋を形成し、仕切片６により内部を複数の区画に縦方向に仕切ることにより、複数の収納物を収納可能とした段ボール箱において、該周面に接する区画の少なくとも一つを天蓋と底蓋を支持する高さの仕切片６により出し入れゾーン７を形成すると共に、該出し入れゾーンの周面に開閉扉５を設ける。【選択図】図２
0003170524.tif 000002
【実用新案登録請求の範囲】
【請求項１】
周面から上下に延設したフラップにより天蓋及び底蓋を形成し、仕切片により内部を複数の区画に縦方向に仕切ることにより、複数の収納物を収納可能とした段ボール箱において、該周面に接する区画の少なくとも一つを天蓋と底蓋を支持する高さの仕切片により出し入れゾーンを形成すると共に、該出し入れゾーンの周面に開閉扉を設けたことを特徴とする包装用箱。
【請求項２】
開閉扉を設けた周面は、その裏面側に天蓋と底蓋を支持する高さで、コの字型に折曲した仕切片を配して出し入れゾーンを形成した請求項１記載の包装用箱。
【請求項３】
出し入れゾーンを形成するコの字型の仕切片は、その両端部をＶ字型に折曲した請求項２記載の包装用箱。
【請求項４】
開閉扉を設けた周面の表面に、同梱チェック欄を表示した請求項１乃至３のいずれか１項に記載の包装用箱。
【考案の詳細な説明】
【技術分野】
【０００１】
本考案は、梱包する収納物を出し入れするための開閉扉を、段ボール箱の周面に設けた包装用箱に関する。
【背景技術】
【０００２】
物品の流通や保管において段ボール箱が広く利用されている。段ボール箱は、仕切片や緩衝材などを設けることにより、種々の形態の収納物を梱包することができ、多段に積み重ねることで効率的に流通や保管に供することが可能となる。
【０００３】
多数の収納物を一括して梱包する包装形態では、一部を入れ替え、追加、抜き取りしなければならない場合が生じる。このような場合、積み重ねた段ボール箱から収納物を出し入れするには、段ボール箱をいちいち降ろしてから作業しなければならず、著しく手間のかかる作業となっていた。
【０００４】
これは、段ボール箱が、各周面から上下に蓋フラップを延設したＡ型段ボール箱のように上下に蓋を設けた構造が一般的であることに起因しており、段ボール箱をその都度降ろしてからでないと蓋が開けられないためである。
この点、特許文献１に示すように周面に開閉扉を備えた構造の「植物収納箱」があり、積み重ねた状態でも側方から収納物の入れ替え等を行うことができる。
【先行技術文献】
【特許文献】
【０００５】
【特許文献１】特開２０００−０７２１３１
【考案の概要】
【考案が解決しようとする課題】
【０００６】
しかしながら、段ボール箱は、周面を構成する段ボールによって上下方向にかかる荷重に対する強度が保持され、多段に積層する場合の収納物の保護及び荷崩れ防止が図られている。このため、周面に開口部や切欠などを設けることは強度の面から好ましくなく、精々手掛け孔が設けられるに過ぎない。
【０００７】
このことから、特許文献１の「植物収納箱」は、鉢に植えた植物を個包装するための包装箱であり、周面に開閉扉を設けることで植木鉢を取り出しやすくするに過ぎないものといえる。
また、収納物の追加や抜き取りをする場合、段ボール箱内に生じる空隙ゾーンによって荷崩れが生じないように考慮する必要がある。これは、収納された収納物によって上下方向の強度が保持されている場合があるからである。
【課題を解決するための手段】
【０００８】
そこで本考案者は上記課題に鑑み鋭意研究した結果、本考案を成し得たものであり、その特徴とするところは、周面から上下に延設したフラップにより天蓋及び底蓋を形成し、仕切片により内部を複数の区画に縦方向に仕切ることにより、複数の収納物を収納可能とした段ボール箱において、該周面に接する区画の少なくとも一つを天蓋と底蓋を支持する高さの仕切片により出し入れゾーンを形成すると共に、該出し入れゾーンの周面に開閉扉を設けたことにある。
【０００９】
本明細書中でいう「出し入れゾーン」とは、天蓋と底蓋を支持する高さの仕切片によって、段ボール箱の周面との間に形成した区画域をいう。この出し入れゾーンの周面に開閉扉を設けることにより、該開閉扉を通じて収納物の出し入れを行えるようにする。開閉扉の構造は、上開き、下開き、横開き、観音開きなど特に限定するものではない。
【００１０】
段ボール箱の内部を縦方向に仕切る仕切片として、少なくとも出し入れゾーンを形成する仕切片は、天蓋と底蓋を支持する高さとする。これは、基本的に底蓋から天蓋に至る長さであり、両者間に突っ張る高さである。例えば、緩衝材や別体の箱体などを設ける場合は、これらの間に介在させる高さにする。要は、天蓋と底蓋との間の距離を極力変えないように支持する高さであればよい。
【００１１】
出し入れゾーンを形成する仕切片の高さを天蓋と底蓋を支持する高さとするのは、開閉扉を設けたことによる周面の強度低下を補強することを目的とする。このためには、仕切片をコの字型に折曲して開閉扉の開口部を囲うように設けるのが好ましい。また、コの字型の仕切片の両端部をＶ字型に折曲することで、より強度を高めることができる。
【考案の効果】
【００１２】
本考案に係る包装用箱は、天蓋と底蓋を支持する高さの仕切片により区画した出し入れゾーンの周面に開閉扉を設けたことにより、開閉扉から収納物の一部の入れ替え、追加、抜き取りを行うことができる。特に、開閉扉を設けた出し入れゾーンは、仕切片によって区画されているため、入れ替え、追加、抜き取りなどがよく行なわれる収納物の附属品や取扱説明書などの梱包チェックが容易となる。
【００１３】
また、包装用箱を多段に積み重ねた状態でも、周面に設けた開閉扉から収納物の一部の入れ替え、追加、抜き取りができるのみならず、該開閉扉の開口部による周面の強度低下を仕切片で補強していることから、重量物を収納しても箱の変形による荷崩れを防止でき、収納物の出し入れも容易になるなど極めて有益な効果を有するものである。
【図面の簡単な説明】
【００１４】
【図１】本考案に係る包装用箱の一実施例を示す正面図である。（実施例１）
【図２】（ａ）は図１に示した包装用箱の平面図、（ｂ）は斜視図である。
【図３】包装用箱に装着する仕切片の他の実施例を示す平面図である。
【図４】本考案に係る包装用箱のさらに他の実施例を示す平面図である。（実施例２）
【図５】図４に示した包装用箱のブランクシートであり、（ａ）包装用箱本体のブランクシート、（ｂ）乃至（ｇ）はそれぞれ仕切片のブランクシートである。
【図６】図４に示した包装用箱に収納物を収納した状態を示す平面図である。
【図７】図６に示した包装用箱の出し入れゾーンに収納物を収納する状態を示す斜視図である。
【図８】図６に示した包装用箱をパレットに積み重ねて保管する状態を示す斜視図である。
【考案を実施するための形態】
【００１５】
本考案に係る包装用箱は、周面に接する区画の少なくとも一つを天蓋と底蓋を支持する高さの仕切片により出し入れゾーンを形成し、その周面に開閉扉を設けたことで上記課題を解決した。
【実施例１】
【００１６】
図１は、本考案に係る包装用箱１の一実施例で、各周面の上下にそれぞれフラップ２を延設したＡ型の段ボール箱であり、周面を構成する長さ面３と幅面４の内、幅面４の一方に開閉扉５を設けている。この開閉扉５は、包装用箱１に梱包する収納物の一部を出し入れするための扉であり、包装用箱１を積み重ねた状態でも収納物の入れ替え、追加、抜き取りを可能にする。
【００１７】
開閉扉５を設けた周面の裏面側には、図２（ａ）（ｂ）のようにコの字型に折曲したコの字型仕切片６を設け、開閉扉５から収納物を出し入れするための出し入れゾーン７を形成している。このコの字型仕切片６は、包装用箱１の天蓋と底蓋を支持する高さで形成し、開閉扉５を設けたことによる周面の強度低下を補強するものである。コの字型仕切片６としては、図３に示すように両端部をＶ字型に折曲することで、耐圧強度を高くすることができ、仕切片としての自立性も高くなる。これらのコの字型仕切片６は、他の仕切片、補強材、収納物などによって保持する。
【実施例２】
【００１８】
図４は、本考案に係る包装用箱１の他の実施例であり、内部にコの字型仕切片６及び他の仕切片６１を装着した状態である。開閉扉５を設けた幅面４の裏面側には、該開閉扉５の開口部を囲うようにコの字型仕切片６を設けて出し入れゾーン７として区画している。本例の仕切片６１は、包装用箱１への組み付けを容易にするため、左右対称に構成すると共に、組み立てたときの高さを全て天蓋と底蓋に突っ張る長さにしている。
【００１９】
この包装用箱１を構成するブランクシートを図５に示す。同図（ａ）は包装用箱１本体、同図（ｂ）はコの字型仕切片６である。（ｃ）乃至（ｅ）は仕切片６１であり、（ｃ）（ｄ）の仕切片６１はそれぞれ２セット、（ｅ）の仕切片６１は６セット使用する。（ｆ）は出し入れゾーン７に出し入れする収納物を入れる箱６２であり、（ｇ）は収納物を仕切って入れるための箱６２で、その２種の仕切片を下に示している。
【００２０】
包装用箱１に収納物として自転車の部品であるギアクランクを１０セット梱包した状態を図６に示す。ギアクランクは、クランクＣ、クランク軸Ａ、スプロケットＳ、ボトムブラケットＢＢの各部品から成る。本例では、右クランクＣ、クランク軸Ａ及びスプロケットＳは一体に組み立てられ、左クランクＣとボトムブラケットＢＢは、それぞれ１０個ずつまとめて箱６２に入れて梱包している。
【００２１】
本例の場合、出し入れゾーン７には、図７のようにボトムブラケットＢＢを収納するようにしている。ボトムブラケットＢＢは、ギアクランクを組み付けるフレームによって用いない場合があるためである。
【００２２】
基本的に、出し入れゾーン７には何も入れないで空の状態で梱包して倉庫等に保管する。これは、出し入れゾーン７に収納する収納物の使用可能性の高低にもよるが、個々の包装用箱１に入れて保管し出荷の際に抜き取るよりも、在庫管理が容易であることや仕様変更などにも対応しやすくなるからである。
【００２３】
出し入れゾーン７を設けた包装用箱１としては、例えば図８のようにパレットＰに井桁状に開閉扉５が隠れないように積み上げて保管する。このようにすれば、開閉扉５から収納物の一部を入れ替え、追加、抜き取りを容易に行うことができる。本例では、開閉扉５の側方に同梱チェック欄８を設けて、収納物の種類や数の他、出し入れゾーン７内の収納物の有無を表示できるようにしている。
【符号の説明】
【００２４】
ＢＢ  ボトムブラケット
Ｃ  クランク
Ａ  クランク軸
Ｓ  スプロケット
Ｐ  パレット
１  包装用箱
２  フラップ
３  長さ面
４  幅面
５  開閉扉
６  コの字型仕切片
６１  仕切片
６２  箱
７  出し入れゾーン
８  同梱チェック欄
【図１】
0003170524.tif 000003
【図２】
0003170524.tif 000004
【図３】
0003170524.tif 000005
【図４】
0003170524.tif 000006
【図５】
0003170524.tif 000007
【図６】
0003170524.tif 000008
【図７】
0003170524.tif 000009
【図８】
0003170524.tif 000010